(57)【特許請求の範囲】
【請求項１】
上面を形成するクラウン部と、
該クラウン部に隣接し、該クラウン部に交差する方向に延び、第１の側面を形成するフェイス部と、
前記クラウン部及び前記フェイス部に隣接し、該クラウン部に交差する方向に延び、前記第１の側面に隣接した第２の側面を形成するサイド部と、
前記フェイス部及び前記サイド部に隣接し、前記クラウン部に対向して延び、底面を形成するソール部と、
を含み、
前記クラウン部、前記サイド部及び前記ソール部のうちの少なくとも１つに、少なくとも１つの開口部が形成された中空状の構造を有するゴルフクラブヘッドであって、
前記ゴルフクラブヘッドの内部の前記開口部に隣接する位置に重量調整材を配置するための配置領域が設けられ、前記ゴルフクラブヘッドの内壁には当該配置領域の外周に沿って延びる凸部が形成されており、
前記クラウン部、前記フェイス部、前記サイド部及び前記ソール部のうちの少なくとも１つの内面の少なくも一部は鏡面加工されており、
前記少なくとも１つの開口部の各々に対応してネジにより着脱自在に設けられた１つの蓋部材、
を具備するゴルフクラブヘッド。
【請求項２】
前記開口部が、前記ソール部と前記フェイス部とが隣接する隣接領域から距離をおいて、前記ソール部に形成されていることにより、前記配置領域が前記ソール部において前記隣接領域と前記開口部との間に確保されている、請求項１に記載のゴルフクラブヘッド。
【請求項３】
前記開口部が、前記ソール部と前記サイド部とが隣接する隣接領域から距離をおいて、前記ソール部に形成されていることにより、前記配置領域が前記ソール部において前記隣接領域と前記開口部との間に確保されている、請求項１又は２に記載のゴルフクラブヘッド。
【発明の詳細な説明】
【技術分野】
【０００１】
本発明は、重量を調整可能なゴルフクラブヘッドに関する。
【背景技術】
【０００２】
重量を調整可能なゴルフクラブヘッドとして、特開平８−２５７１７４号公報（特許文献１）に記載されたものが知られている。この文献に記載されたゴルフクラブヘッドにあっては、摂氏５０度を超える温度において流動性を有し常温において流動性が失われる重量調整材料が、摂氏５０度を超える温度に加熱されホーゼル穴からヘッドの内部に注入された後、常温に冷却されヘッドの内壁に固着させられる。
【先行技術文献】
【特許文献】
【０００３】
【特許文献１】特開平８−２５７１７４号公報
【発明の概要】
【発明が解決しようとする課題】
【０００４】
しかしながら、特許文献１に記載された手法を用いた場合には、製造者は、ヘッドの内部の様子を確認することはできないため、ホーゼル穴から注入された流動性を有する重量調整材料がヘッド内の具体的にどの位置に存在しているのかを認識することができない。よって、製造者は、ヘッド内の意図した位置に正確に重量調整材料を固着させることはできない。
【０００５】
そこで、本発明の様々な実施の形態により、所望の位置に重量調整材料を配置させることが可能なゴルフクラブヘッドを提供する。
【課題を解決するための手段】
【０００６】
本発明の一態様に係るゴルフクラブヘッドは、上面を形成するクラウン部と、該クラウン部に隣接し、該クラウン部に交差する方向に延び、第１の側面を形成するフェイス部と、前記クラウン部及び前記フェイス部に隣接し、該クラウン部に交差する方向に延び、前記第１の側面に隣接した第２の側面を形成するサイド部と、前記フェイス部及び前記サイド部に隣接し、前記クラウン部に対向して延び、底面を形成するソール部と、を含み、前記クラウン部、前記サイド部及び前記ソール部のうちの少なくとも１つに、少なくとも１つの開口部が形成された中空状の構造を有するゴルフクラブヘッドであって、前記少なくとも１つの開口部の各々に対応してネジにより着脱自在に設けられた１つの蓋部材、を具備するものである。
【発明の効果】
【０００７】
本発明の様々な実施の形態により、所望の位置に重量調整材料を配置させることが可能なゴルフクラブヘッドを提供することができる。
【図面の簡単な説明】
【０００８】
【図１】図１は、本発明の一実施形態に係るゴルフクラブヘッドを備えたゴルフクラブの構成を示す図である。
【図２】図２は、図１に示したヘッドの構成を示す上面図である。
【図３】図３は、図１に示したヘッドの構成を示す正面図である。
【図４】図４は、図１に示したヘッドの構成を示す右側面図である。
【図５】図５は、図１に示したヘッドの構成を示す背面図である。
【図６】図６は、図１に示したヘッドの構成を示す左側面図である。
【図７】図７は、図１に示したヘッドの構成を示す底面図である。
【図８】図８は、図１〜図７に示したヘッドを底面側からみて示す斜視図である。
【図９】図９は、図１〜図７に示したヘッドの内部を上面側からみて示す斜視図である。
【発明を実施するための形態】
【０００９】
以下、様々な実施形態を適宜図面を参照して説明する。なお、図面における共通する構成要素には同一の参照符号が付されている。また、各図面は、便宜上、必ずしも同一の縮尺により示されているとは限らない。
【００１０】
図１は、本発明の一実施形態に係るゴルフクラブヘッドを備えたゴルフクラブの構成を示す図である。図１に示すように、ゴルフクラブ１０は、主に、グリップＧと、このグリップＧに結合したシャフトＳと、このシャフトＳにホーゼルＨＺを介して結合した本実施形態に係るゴルフクラブヘッド（以下単に「ヘッド」という。）１００と、を含む。
【００１１】
このヘッド１００の具体的な構成について、図２〜図７を参照して説明する。図２は、図１に示したヘッドの構成を示す上面図である。図３は、図１に示したヘッドの構成を示す正面図である。図４は、図１に示したヘッドの構成を示す右側面図である。図５は、図１に示したヘッドの構成を示す背面図である。図６は、図１に示したヘッドの構成を示す左側面図である。図７は、図１に示したヘッドの構成を示す底面図である。
【００１２】
ヘッド１００は、主に、クラウン部１１０と、フェイス部１２０と、サイド部１３０と、ソール部１４０と、により囲まれた中空状の構造を有する。
【００１３】
クラウン部１１０は、図２に示すように、略扇状を成し、ヘッド１００の上面を形成する。クラウン部１１０は、図３〜図６に示すように、外周縁から中央部に向かって高さが上昇するように、全体として湾曲した上面を形成する。
【００１４】
フェイス部１２０は、図３に示すように、円弧の両端をなだらかに湾曲する曲線で結んだ形状を成す。フェイス部１２０は、図４及び図６に示すように、クラウン部１１０に隣接して設けられ、クラウン部１１０の延設方向に交差する方向に延び、ヘッド１００の第１の側面を形成する。クラウン部１１０は、後方に向かって傾斜（後傾）している。
【００１５】
サイド部１３０は、図３〜図６に示すように、クラウン部１１０の延設方向に交差する方向に延び、また、図７に示すように、クラウン部１１０の外周に沿って略Ｃ字状に延び、その一端及び他端がそれぞれフェイス部１２０の一端及び他端に隣接している。すなわち、サイド部１３０は、図３〜図６に示すように、クラウン部１１０及びフェイス部１２０に隣接して延び、ヘッド１００の第１の側面（フェイス部１２０）に隣接する第２の側面を形成する。
【００１６】
ソール部１４０は、図３〜図７に示すように、略皿型の形状を成し、ヘッド１００の底面を形成する。ソール部１４０は、図７に示すように、フェイス部１２０及びサイド部１３０に隣接し、図３〜図６に示すように、クラウン部１１０に対向して延びる。
【００１７】
クラウン部１１０、フェイス部１２０、サイド部１３０及びソール部１４０は、ステンレス鋼、チタン及びチタン合金等を含む任意の材料により構成することが可能である。
【００１８】
なお、サイド部１３０とソール部１４０とは厳密に区別しなければならないものではなく、サイド部１３０とソール部１４０とを合わせた部分をソール部と捉えてもよい。
【００１９】
また、図２〜図７に示すように、ヘッド１００の一端には、斜め上方に延びる筒状のホーゼル支持部２０が形成されている。このホーゼル支持部２０にホーゼル（図示せず）が挿入され固定される。このホーゼル（図示せず）を介して、ヘッド１００とシャフトＳ（図１）とが結合される。
【００２０】
さらに、図７に最もよく示されているように、ソール部１４０には、ヘッド１００の内部と外部とを連通させる開口部１４２が形成されている。なお、図７には、ソール部１４０において、開口部１４２を覆う蓋部材１４４が取り付けられている様子が示されている。
【００２１】
この開口部１４２の詳細について、さらに図８及び図９を参照して説明する。図８は、図１〜図７に示したヘッドを底面側からみて示す斜視図である。図９は、図１〜図７に示したヘッドの内部を上面側からみて示す斜視図である。なお、図９においては、説明の便宜上、クラウン部１１０のほとんどの表現が省略されている。
【００２２】
図８に示すように、ソール部１４０の中央付近から後端付近にわたって、略三角形状に延びる凹部１４６が形成されている。この凹部１４６の３つの端部のそれぞれには、この凹部１４６に係合する略三角形状の蓋部材１４４（図７参照）の内面に当接して、蓋部材１４４を支持する支持片１４８ａ、１４８ｂ、１４８ｃが形成されている。これら支持片のそれぞれにはネジ孔１４９が形成されている。さらに、これら３つの支持片の間には、各ネジ孔よりも大きい開口部１４２が形成されている。
【００２３】
凹部１４６には、開口部１４２を覆うように図７に示した蓋部材１４４が嵌め込まれる。蓋部材１４４の３つの端部のそれぞれには、ソール部１４０における対応するネジ孔１４９に連通する貫通孔１４３（図７参照）が形成されている。蓋部材１４４の各貫通孔１４３とこれに対応するネジ孔１４９にネジ（図示せず）を係合させることにより、蓋部材１４４がソール部１４０に着脱自在に取り付けられる。
【００２４】
ヘッド１００の内面を示す図９を参照すると、開口部１４２は、一例として、ソール部１４０とフェイス部１２０とが隣接する隣接領域２１０から距離をおいて配置されている。この隣接領域２１０と開口部１４２との間に延びる配置領域２１２に、樹脂等の重量調整材を配置することにより、フェイス部１２０が球に衝突した際に生ずる打球音を調整することができる。
【００２５】
また、開口部１４２は、一例として、ソール部１４０とサイド部１３０とが隣接する隣接領域２１４から距離をおいて配置されている。この隣接領域２１４と開口部１４２との間に延びる配置領域２１６に、樹脂等の重量調整材を配置することにより、ヘッド１００の重心及び慣性モーメントを調整することができる。
【００２６】
本実施形態に係るヘッド１００においては、開口部１４２を介して、指又はノズル等の装置をヘッド１００の内部に挿入することにより、ヘッド１００内の所望の位置に重量調整材を配置することができる。特に、上述した配置領域２１２及び配置領域２１６は、開口部１４２に隣接する位置に設けられているので、開口部１４２を介してこれらの領域に重量調整材を容易かつ確実に配置することができる。
【００２７】
図８及び図９には、開口部１４２が一例としてソール部１４０の中央付近から後端付近にわたって延びる様子が示されているが、開口部１４２は、ソール部１４０における任意の位置に配置されるようにしてもよい。また、開口部１４２が配置される対象は、クラウン部１１０、フェイス部１２０、サイド部１３０、及び、ソール部１４０のうちの少なくとも１つとすることができる。いずれの場合であっても、重量調整材を配置するための配置領域（この配置領域は任意に設定可能）に隣接するように開口部１４２を設けることは、開口部１４２を介して容易かつ確実に重量調整材を配置することが可能となるという理由により有利である。
さらには、このような開口部は複数形成されるようにしてもよい。この場合、複数の開口部の各々に対応して、１つの蓋部材が着脱自在に取り付けられるようにすることができる。
【００２８】
開口部１４２の形状は、開口部１４２の形状は、円形状、矩形状、多角形状等を含む任意の形状であってもよい。
開口部１４２の大きさに関しては、開口部１４２が大きい程、利用者はこの開口部１４２を介してヘッド１００内の意図した位置に重量調整材を配置し易くなるが、ヘッド１００の剛性が低下し易くなる。逆に、開口部１４２が小さい程、ヘッド１００の剛性の低下を抑えることができるが、利用者はこの開口部１４２を介して重量調整材を配置しにくくなる。このような事情を考慮して、開口部１４２の大きさを任意のものとすることができる。例えば、開口部１４２の大きさは、利用者が指を挿入して指を自由に動かすことができるように、又は、樹脂を噴射するノズルを挿入して移動させることができるように、少なくともネジ孔１４９よりも大きいことが好ましい。さらに好ましくは、開口部１４２をソール部１４０に配置する場合には、開口部１４２の大きさは、ソール部１４０全体の表面積の約１０％〜約３０％（さらに好ましくは約１５％〜約２０％）の大きさとすることができる。
【００２９】
蓋部材１４４は、三角形状だけでなく、円形状、矩形状や多角形状等を含む任意の形状に形成されるようにしてもよい。
【００３０】
ヘッド１００内に想定された配置領域内に樹脂等の重量調整材が確実に配置されるようにするために、この配置領域の外周（のうちの少なくとも一部又は全部）に沿って延びる凸部を形成してもよいし、この配置領域全体がこの配置領域を囲む領域よりも下方に位置するように、この配置領域全体を凹部として形成してもよい。
【００３１】
重量調整材としては、樹脂、接着剤、シール（錘が付着したシール）、弾性体及び金属材料等を含む任意の材料を用いることができる。なお、弾性体及び金属材料等は、接着剤や両面テープ等により、ヘッド１００の内面に固定することができる。
【００３２】
重量調整材を配置することに代えて、又は、重量調整材を配置することとともに、蓋部材１４４の材料及び／又は厚みを変更することによって、ヘッド１００の重心、慣性モーメント、及び／又は、打球音を調整することもできる。すなわち、材料及び／又は厚みの異なる複数の蓋部材（すなわち、相互に異なる質量を有する複数の蓋部材）を用意しておき、利用者が、これら複数の蓋部材の中から選択した蓋部材をヘッド１００に取り付けるようにしてもよい。なお、蓋部材を構成する材料としては、例えば、カーボン、マグネシウム合金、アルミ合金、チタン合金、ステンレス合金、タングステン合金等を含む任意の材料が挙げられる。
【００３３】
重量調整材を配置することに代えて、又は、重量調整材を配置するとともに、蓋部材１４４をヘッド１００に固定するためのネジの材料及び又は長さを変更することによって、ヘッド１００の重心、慣性モーメント、及び／又は、打球音を調整することもできる。すなわち、材料及び／又は長さの異なる複数のネジ（すなわち、相互に異なる質量を有する複数のネジ）を用意しておき、利用者が、これら複数のネジの中から選択したネジを用いて蓋部材１４４をヘッド１００に固定するようにしてもよい。なお、ネジを構成する材料は、カーボン、マグネシウム合金、アルミ合金、チタン合金、ステンレス合金、タングステン合金等を含む任意の材料を含む。
【００３４】
クラウン部１１０、フェイス部１２０、サイド部１３０及びソール部１４０のうちの少なくとも１つの内面（の一部又は全部）を鏡面加工してもよい。これにより、例えばソール部１４０に開口部が形成されている場合には、この開口部を介して、上記鏡面加工されたクラウン部１１０、フェイス部１２０及び／又はサイド部１３０の内面に写る、利用者の指（手）、ノズル等の装置、及び／又は、重量調整材を見ることにより、より容易かつ正確に、ヘッド１００内の意図した位置に重量調整材を配置することができる。
【００３５】
このように、本発明の様々な実施形態によれば、ヘッドを構成するクラウン部、フェイス部、サイド部及びソール部のうちの少なくとも１つ（特にソール部）に、ヘッドの内部と外部とを連通させる開口部が形成され、この開口部を覆う蓋部材がネジによりヘッドに着脱自在に取り付けられる。これにより、ヘッドの利用者は、必要に応じていつでも（例えば試合に臨む前に）、蓋部材を取り外し、開口部を介して、利用者の手（指）により又は樹脂等を噴射する装置により、重量調整材をヘッド内における所望の位置に配置することができる。
【符号の説明】
【００３６】
１００  ゴルフクラブヘッド（ヘッド）
１１０  クラウン部
１２０  フェイス部
１３０  サイド部
１４０  ソール部
１４２  開口部
１４４  蓋部材
【図１】
0005972051.tif 000002
【図２】
0005972051.tif 000003
【図３】
0005972051.tif 000004
【図４】
0005972051.tif 000005
【図５】
0005972051.tif 000006
【図６】
0005972051.tif 000007
【図７】
0005972051.tif 000008
【図８】
0005972051.tif 000009
【図９】
0005972051.tif 000010